(57)【要約】      （修正有）【課題】即時インタラクション可能な現地調査モバイル装置を提供する。【解決手段】  本考案の即時インタラクション可能な現地調査モバイル装置は、デジタル地図をモバイル装置のスクリーンに表示するデジタル地図表示モジュールと、モバイル装置の位置情報をインターネットを介してリモートサーバへ提供し、リモートサーバから返される付近の地域データを受け取るリモートデータアクセスモジュールと、付近の地域データに基づき、デジタル地図上に地域包括範囲又はサンプリング分布記録をマークするデジタル地図マーキングモジュールと、編集インタフェースをモバイル装置のスクリーンに表示し、該編集インタフェースが使用者にデジタル地図中の任意の位置の地域包括範囲又はサンプリング分布記録を編集させる調査情報入力モジュールと、を含み、リモートデータアクセスモジュールは、編集を経た地域包括範囲又はサンプリング分布記録を該リモートサーバにアップロードする。【選択図】図２Ａ
2016001440.tif 000002
【特許請求の範囲】
【請求項１】
即時インタラクション可能な現地調査モバイル装置であって、
デジタル地図を該モバイル装置のスクリーンに表示するデジタル地図表示モジュールと、
リモートサーバから調査地点の付近の地域データをダウンロードするリモートデータアクセスモジュールと、
該付近の地域データに基づき、該デジタル地図上に地域包括範囲又はサンプリング分布記録をマークするデジタル地図マーキングモジュールと、
編集インタフェースを該モバイル装置のスクリーンに表示し、該編集インタフェースが使用者に該デジタル地図中の任意の位置の該地域包括範囲又は該サンプリング分布記録を編集させる調査情報入力モジュールと、
を含み、該リモートデータアクセスモジュールは、編集を経た該地域包括範囲又は該サンプリング分布記録を該リモートサーバにアップロードする即時インタラクション可能な現地調査モバイル装置。
【請求項２】
前記リモートデータアクセスモジュールは、該モバイル装置の位置情報を、インターネットを介して該リモートサーバに提供し、更に、インターネットを介して該リモートサーバから返される該付近地域データを受け取る請求項１に記載の即時インタラクション可能な現地調査モバイル装置。
【請求項３】
更に、ＧＰＳ定位モジュールを含み、該ＧＰＳ定位モジュールは、該モバイル装置の即時地理位置情報を測定し、該リモートデータアクセスモジュールは、該即時地理位置情報を該リモートサーバに提供する請求項１に記載の即時インタラクション可能な現地調査モバイル装置。
【請求項４】
更に、第１検索インタフェースを含み、該第１検索インタフェースは、該デジタル地図上の該地域包括範囲を選択することにより起動し、該第１検索インタフェースは、選択された該地域包括範囲の詳細情報を表示する請求項１に記載の即時インタラクション可能な現地調査モバイル装置。
【請求項５】
更に、編集インタフェースを含み、該編集インタフェースは、該デジタル地図上の該地域包括範囲を選択することにより起動し、該使用者は、該編集インタフェースによって該地域包括範囲又は選択された該地域使用範囲に関する詳細情報を編集することができる請求項１に記載の即時インタラクション可能な現地調査モバイル装置。
【請求項６】
前記地域包括範囲は、廃業工場包括範囲である請求項１に記載の即時インタラクション可能な現地調査モバイル装置。
【請求項７】
前記サンプリング分布記録は、サンプリングポイント番号を含む請求項１に記載の即時インタラクション可能な現地調査モバイル装置。
【請求項８】
前記デジタル地図マーキングモジュールは、異なるサンプルに対して異なる色で該デジタル地図上に該サンプリング分布記録をマークする請求項１に記載の即時インタラクション可能な現地調査モバイル装置。
【請求項９】
更に、第２検索インタフェースを含み、そのうち、該第２検索インタフェースは、該デジタル地図上の該サンプリング分布記録を選択する弧により起動され、該第２検索インタフェースは、該サンプリング分布記録に関するサンプリング詳細情報を表示する請求項１に記載の即時インタラクション可能な現地調査モバイル装置。
【請求項１０】
前記デジタル地図表示モジュールが表示する該デジタル地図は、道路説明図、最新の航空写真及び過去の航空写真のうちの１つを選択する請求項１に記載の即時インタラクション可能な現地調査モバイル装置。
【請求項１１】
前記リモートデータアクセスモジュールは、該リモートサーバに対するデータ自動同期作業をバッチ処理し、ネットワーク接続状況に応じて該データ自動同期作業を暫時停止するか、該データ自動同期作業を再起動する請求項１に記載の即時インタラクション可能な現地調査モバイル装置。
【請求項１２】
モバイル装置に応用され、実施され、以下のステップ：リモートサーバから調査地点の付近の地域データをダウンロードし、
該モバイル装置のスクリーンにデジタル地図を表示し、該付近の地域データに基づき、デジタル地図上に地域包括範囲又はサンプリング分布記録をマークし、
該モバイル装置のスクリーンに編集インタフェースを表示し、該編集インタフェースが使用者に該デジタル地図中の任意の位置の該地域包括範囲又は該サンプリング分布記録を編集させ、
該モバイル装置から編集した該地域包括範囲又は該サンプリング分布記録を該リモートサーバにアップロードする、
を含む即時インタラクション可能な現地調査方法。
【請求項１３】
更に、インターネットを介して該モバイル装置の位置情報を該リモートサーバへ提供し、インターネットを介して該リモートサーバから返される付近の地域データを受け取るステップを含む請求項１２に記載の即時インタラクション可能な現地調査方法。
【請求項１４】
更に、ＧＰＳを該モバイル装置の即時地理位置情報を位置決めし、該即時地理位置情報を該リモートサーバに提供するステップを含む請求項１２に記載の即時インタラクション可能な現地調査方法。
【請求項１５】
更に、該デジタル地図上の該地域包括範囲を選択し、選択された該地域包括範囲又は選択された該地域包括範囲に関する詳細情報を表示するステップを含む請求項１２に記載の即時インタラクション可能な現地調査方法。
【請求項１６】
更に、該デジタル地図上の該地域包括範囲を選択し、該地域包括範囲又は選択された該地域包括範囲の詳細情報を編集するステップを含む請求項１２に記載の即時インタラクション可能な現地調査方法。
【請求項１７】
更に、該デジタル地図において、異なる色で異なるサンプルの該サンプリング分布記録をマークするステップを含む請求項１８に記載の即時インタラクション可能な現地調査方法。
【請求項１８】
更に、該デジタル地図上の該サンプリング分布記録を選択肢、該サンプリング分布記録に関するサンプリング詳細情報を表示するステップを含む請求項１２に記載の即時インタラクション可能な現地調査方法。
【請求項１９】
更に、該リモートサーバに対して行う自動同期作業をバッチ処理し、ネットワーク接続状況により該データ自動同期作業を暫時停止するか、該データ自動同期作業を再起動するステップを含む請求項１２に記載の即時インタラクション可能な現地調査方法。
【発明の詳細な説明】
【技術分野】
【０００１】
本発明は、現地調査モバイル装置及び方法に関し、特に、即時インタラクション可能な現地調査モバイル装置及び現地調査方法に関する。
【背景技術】
【０００２】
現地調査作業は、環境保護工程、環境場所評価作業、及び汚染潜在分析における重要な一環であり、特に、現代の環境において、如何なる場所も汚染のリスクを有するので、常時現地調査作業を行い、生活の周囲の環境状況をモニタリングする必要がある。例えば、工場において、有害物質を使用又は排出する汚染源のハイリスク群は、運営中又は廃業後の何れも現地調査作業を行い、その周囲の土壌及び地下水の状況をモニタリングする必要があり、これにより、運営中/廃業後の向上が周囲にもたらす汚染潜在を理解する。また、例えば、土地使用目的が変更される時（例えば、工場が住宅又はエンターテイメントセンターに建て替えられる）、更に、変更場所が運営を継続する時、現地調査作業により得た情報を利用して工場の周囲の環境状況が再度使用されることに適合するかを評価する。また、現地調査作業で得られる情報を利用して運営中/廃業後の工場の周囲の住民が汚染下で招かれる健康上のリスク及び懸念に曝されるかを把握することができる。しかしながら、現地調査の作業は、進行が容易でない行程である。従来、現地調査作業を行う場合、事前に大量の文書、例えば、最新の航空写真、過去の航空写真、サンプリング記録、該地域の関連情報等を準備する必要があり、現在の該地域に関する周囲の環境状況を理解する。現場で調査作業を行う時、大量の紙面記載/写真記録を行う必要があり、事後もこの紙面記載/写真記録を整理しなければならず、相當に不便である。また、従来の現地調査作業後の評価過程も相当時間を消費し、従来の現場調査作業後、獲得した情報を迅速に伝達し、更なる分析及び全体の御膳線材評価を即座に行うことができず、情報が即座に共有されることができず、調査作業効率の低下の問題を招いている。
【先行技術文献】
【特許文献】
【０００３】
【特許文献１】特開２００２−２５６５４６号公報
【発明の概要】
【発明が解決しようとする課題】
【０００４】
上記従来技術の問題に鑑み、本発明の目的は、現場調査員が現地調査及びサンプリングを行う時、モバイル装置を利用してこの地域の関連情報を迅速に獲得して事前に大量のデータの準備を行う必要がなく、調査の過程において、この地域に関する特定用途の範囲及びサンプリング記録を簡単で迅速に記録/確認することができ、記録後に迅速に後工程のサーバへ返し、即座に環境場所評価及び汚染潜在分析/管理等の作業を行うことができる即時インタラクション可能な現地調査モバイル装置を提供することにある。
【課題を解決するための手段】
【０００５】
本発明の目的に基づき、即時インタラクション可能な現地調査モバイル装置を提供し、それは、動作が繋がれたデジタル地図表示モジュール、リモートデータアクセスモジュール。デジタル地図マーキングモジュール、調査情報入力モジュール、及びＧＰＳ定位モジュールを含む。該デジタル地図表示モジュールは、デジタル地図を該モバイル装置のスクリーンに表示し、該リモートデータアクセスモジュールは、インターネットを介して該モバイル装置の位置情報をリモートサーバへ提供し、該リモートサーバから返された付近の地域データを受け取り、該デジタル地図マーキングモジュールは、該付近の地域データに基づいて該デジタル地図において地域包括範囲又はサンプリング分布記録をマークし、該調査データ入力モジュールは、編集インタフェースを含み、該編集インタフェースは、該モバイル装置のスクリーンを表示し、使用者は、該デジタル地図中の任意の位置の該地域包括情報又は該サンプリング分布記録を編集し、該ＧＰＳ定位モジュールは、該モバイル装置の即時地理位置情報を測定することに用いられ、該リモートデータアクセスモジュールは、ＧＰＳ定位モジュールが測定した即時地理の位置情報を該リモートサーバに提供する。本発明において、該リモートデータアクセスモジュールは、編集を経た該地域包括範囲又は該サンプリング分布記録を該リモートサーバにアップロードする。
【０００６】
上記構想に基づき、該サンプリング分布記録は、サンプリングポイント番号である。
【０００７】
上記構想に基づき、該地域包括範囲は、廃業工場包括範囲である。
【０００８】
上記構想に基づき、該デジタル地図マーキングモジュールは、異なるサンプルに対して異なる色で該サンプリング分布記録を該デジタル地図上にマークする。該デジタル地図表示モジュールが表示する該デジタル地図は、道路説明図、最新航空写真及び過去の航空写真の内の１つが選択される。
【０００９】
上記構想に基づき、本発明の即時インタラクション可能な現地調査モバイル装置は、更に、第１調査インタフェースを含み、それは、該デジタル地図上の該地域包括範囲を選択して起動する。該第１調査インタフェースは、選択された該地域包括範囲に関する詳細情報を表示する。
【００１０】
上記構想に基づき、本発明の即時インタラクション可能な現地調査モバイル装置は、更に、編集インタフェースを含み、それは、該デジタル地図上の該地域包括範囲を選択して起動する。使用者は、該編集インタフェースによって該地域包括範囲又は選択された該地域使用範囲に関する詳細情報を編集する。
【００１１】
上記構想に基づき、本発明の即時インタラクション可能な現地調査モバイル装置は、更に、第２調査インタフェースを含み、それは、該デジタル地図上の該サンプリング分布記録を選択して起動する。該第２調査インタフェースは、該サンプリング分布記録に関するサンプリング詳細情報を表示する。
【００１２】
上記構想に基づき、該リモートデータアクセスモジュールは、該リモートサーバに対するデータ自動同期作業を定時バッチ処理し、ネットワーク接続状況に基づいて該データ自動同期作業を暫時停止するか、該データ自動同期作業を再起動する。
【００１３】
本発明の目的に基づき、更に、即時インタラクション可能な現地調査方法を提供し、該方法は、モバイル装置に応用して実施する。本発明の即時インタラクション可能な現地調査方法は、以下のステップを含む：インターネットを介して該モバイル装置の位置情報をリモートサーバに提供し、該リモートサーバから返される付近の地域データを受け取り、該モバイル装置のスクリーンに編集インタフェースを表示し、該編集インタフェースが使用者に該デジタル地図中の任意の位置の該地域包括範囲又は該サンプリング分布記録を編集させ、該モバイル装置から編集した該地域包括範囲又は該サンプリング分布記録を該リモートサーバにアップロードする。
【００１４】
上記の構想に基づき、本発明の即時インタラクション可能な現地調査方法は、更に以下のステップを含む：ＧＰＳを該モバイル装置の即時地理位置情報を位置決めし、該即時地理位置情報を該リモートサーバに提供する。
【００１５】
上記の構想に基づき、本発明の即時インタラクション可能な現地調査方法は、更に以下のステップを含む：該デジタル地図上の該地域包括範囲を選択し、選択された該地域包括範囲又は選択された該地域包括範囲に関する詳細情報を表示する。
【００１６】
上記の構想に基づき、本発明の即時インタラクション可能な現地調査方法は、更に以下のステップを含む：該デジタル地図上の該地域包括範囲を選択し、該地域包括範囲又は選択された該地域包括範囲の詳細情報を編集する。
【００１７】
上記の構想に基づき、本発明の即時インタラクション可能な現地調査方法は、更に以下のステップを含む：該デジタル地図において、異なる色で異なるサンプルの該サンプリング分布記録をマークする。
【００１８】
上記の構想に基づき、本発明の即時インタラクション可能な現地調査方法は、更に以下のステップを含む：該デジタル地図上の該サンプリング分布記録を選択肢、該サンプリング分布記録に関するサンプリング詳細情報を表示する。
【００１９】
上記の構想に基づき、本発明の即時インタラクション可能な現地調査方法は、更に以下のステップを含む：該リモートサーバに対して行う自動同期作業をバッチ処理し、ネットワーク接続状況により該データ自動同期作業を暫時停止するか、該データ自動同期作業を再起動する。
【発明の効果】
【００２０】
上記のように、本発明の即時インタラクション可能な現地調査モバイル装置及び現地調査方法は、下記の利点を実現することができる：現場の調査に使用な最新地域情報及び過去のサンプリング記録を迅速に取得し、調査時に最新サンプリング記録を迅速に入力し、現地状況に基づき、地域情報を修正することができ、調査完成後に迅速に調査データを返した後に後工程のサーバが更に分析して全体的に汚染潜在評価させることができる。
【図面の簡単な説明】
【００２１】
【図１】本発明の具体実施例に基づく現地調査モバイル装置の全体構造説明図である。
【図２Ａ】本発明の具体実施例に基づく現地調査方法のフロー図である。
【図２Ｂ】本発明のもう１つの具体実施例に基づく現地調査方法のフロー図である。
【図３】モバイル装置スクリーン表示画面であり、ＧＰＳを介してデジタル地図上でモバイル装置を位置決めすることを説明する。
【図４】モバイル装置スクリーン表示画面であり、手動方式で位置入力を行うインタフェースを説明する。
【図５】モバイル装置スクリーン表示画面であり、デジタル地図上で地域包括範囲を標記することを説明する。
【図６】モバイル装置スクリーン表示画面であり、デジタル地図上でサンプリング分布記録をマークすることを説明する。
【図７】モバイル装置スクリーン表示画面であり、地図上で詳細情報を表示することを説明する。
【図８】モバイル装置スクリーン表示画面であり、詳細情報を表示する地図上で詳細情報の集計結果を表示する。
【図９】モバイル装置スクリーン表示画面であり、サンプリング情報詳細情報を表示する地図上で詳細情報の集計結果を表示する。
【図１０】モバイル装置スクリーン表示画面であり、土壌サンプリング情報（例えば、土壌サンプルサンプリング情報）の入力画面を表示する。
【図１１】モバイル装置スクリーン表示画面であり、土壌サンプリング情報（例えば、土壌サンプルサンプリング情報）のもう１つの入力画面を表示する。
【発明を実施するための形態】
【００２２】
以下に具体実施例を挙げて本願の内容を詳細に説明し、図面を説明の補助とする。説明において提示する符号は、図面符号を参照する。注意すべきこととして、説明において、提示する「含む」は、開放式の用語であり、「含むが、限定するものではない」として解釈すべきものである。また、当業者は、同一部材/製品がしばしば異なる呼び方、例えば、「デジタル地図」又は「電子地図」、「モバイル装置」又は「可携帯式装置」を有すると理解するものであるので、本明細書で提示するものと同分野且つ機能が相似する部材/製品は、当然、本明細書の範囲に含まれるものである。
【００２３】
図１を参考とし、図１は、本発明の具体実施例の現地調査モバイル装置１に基づく全体構造説明図である。図１に示すように、本発明のモバイル装置１は、相互に動作が繋がれるデジタル地図マーキングモジュール１１、デジタル地図表示モジュール１２、調査情報入力モジュール１３、ＧＰＳ定位モジュール１４、及びリモートデータアクセスモジュール１５を含む。デジタル地図表示モジュール１２は、モバイル装置１のスクリーン上にデジタル地図を表示し、使用者２が現地調査作業に必要な地図情報を簡単で陣族に獲得することができるようにする。該デジタル地図の情報源は、リモートサーバ３からリモートデータアクセスモジュール１５によって提供されるか、該デジタル地図を元々モバイル装置１の保存装置中に保存する。調査情報入力モジュール１３は、編集インタフェースをモバイル装置１のスクリーンに表示することに用いられ、該編集インタフェースは、使用者２にデジタル地図中の任意に位置の地域包括範囲又はサンプリング分布記録を編集させる。ＧＰＳ定位モジュール１４は、モバイル装置１の即時地理位置情報を測定し、該即時地理位置情報をリモートデータアクセスモジュール１５に提供し、リモートデータアクセスモジュール１５は、該即時地理位置情報をリモートサーバ３に提供する。リモートデータアクセスモジュール１５は、モバイル装置１及びリモートサーバ３の間の通信経路とされ、インターネットを介して両者の間に保存されるデータのアップロード/ダウンロード/同期作業を行う。デジタル地図マーキングモジュール１１は、リモートサーバ３に提供される情報に基づいてデジタル地図上に地域包括範囲又はサンプリング分布記録をマークする。
【００２４】
当業者であれば理解できるように、本発明のモバイル装置１は、スマートフォン、タブレットＰＣ、ノート型パソコン、ＰＤＡ等のインターネット又はモバイルネットワークにアクセス可能な豊富なグラフィカルインタフェースを有する可携帯式装置を選択することができる。モバイル装置１中に設置される保存装置は、読み取り可能型式でコンピュータデータを保存する機器であり、揮発性及び不揮発性、リードライト可能及びリードライト不可のメディアを含み、それは、限定するものではなく、ＲＡＭ、ＲＯＭ、ＥＰＲＯＭ、ＥＥＰＲＯＭ、フラッシュメモリ又はその他のソリッドステートメモリ技術、光ディスク又はその他の光学ストレージ、磁性カートリッジ、磁性テープ、磁性ディスクストレージ又はその他の大容量保存装置、又は所要の情報を保存することに用い、該コンピュータによりアクセス可能な任意の他のメディアを含む。
【００２５】
図２Ａを参考にし、それは、本発明の具体的実施例に基づく現地調査方法のフロー図を説明しており、本発明の現地調査方法は、図１に示すモバイル装置に応用されて実施される。図３〜図１１は、該方法の各ステップの実行と対応するモバイル装置スクリーン表示画面を示している。
【００２６】
図２ＡのステップＳ２１に示すように（一部の部材符号は、同時に図１を参照）、使用者２が現地調査作業を行う時、先ず、本発明のモバイル装置１中のＧＰＳ定位モジュール１４を起動する。ＧＰＳ定位モジュール１４は、モバイル装置１の即時地理位置情報を測定し、該即時地理位置情報をリモートデータアクセスモジュール１５に提供し、リモートデータアクセスモジュール１５は、該即時地理位置情報をリモートサーバ３に提供し、使用者２に該即時地理位置の位置決めが正確であるかを確認させることができるようにする。好ましくは、ＧＰＳ定位モジュール１４は、測定した即時地理位置情報をデジタル地図表示モジュール１２に提供し（図３参照）、デジタル地図表示モジュール１２は、モバイル装置１のスクリーン上に即時地理位置を表示させて使用者に確認させることに用いられる。図３に示すように、デジタル地図３１は、モバイル装置１のスクリーンに表示され、同時にモバイル装置１のデジタル地図３１の即時位置３２をマークする。本発明において、デジタル地図表示モジュール１２が示すデジタル地図３１は、道路説明図、最新の航空写真及び過去の航空写真のうち１つが選択される。
【００２７】
図２ＡのステップＳ２２を参考し、モバイル装置１のＧＰＳ信号受信が良好でない地区にあり、ＧＰＳ定位モジュール１４が正常に作用を発揮できない時、手動方式に変更してモバイル装置１のスクリーンで現在のモバイル装置１の位置を入力することができる（図４参照）。図４を参考し、モバイル装置１は、メニュー４１又は入力インタフェース４２を提供し、使用者に地理位置を選択させ、選択又は入力の完了後、リモートデータアクセスモジュール１５は、入力された地理位置情報をリモートサーバ３に伝送し、入力インタフェース４２は、好ましくは、キーワードで検索して検索結果に対してメニュー式で選択することができるものである。
【００２８】
図２ＡのステップＳ２３を参考し、一旦、モバイル装置１の地理位置情報を受信すると、リモートサーバ３が、即座にモバイル装置１の付近の地域データをモバイル装置１のリモートデータアクセスモジュール１５へ返し、該付近の地域データは、付近の地区の各地域範囲（廃業工場範囲、特殊地質の境界等）及び詳細サンプリング情報を含む。
【００２９】
図２ＡのステップＳ２４を参考し、リモートデータアクセスモジュール１５が受け取った付近地域データを地図マーキングモジュール１１及びデジタル地図表示モジュール１２に伝送した後、デジタル地図マーキングモジュール１１は、該付近の地域データに基づいてデジタル地図に地域包括範囲、例えば、工場の境界、廃業工場の包括範囲、建築物の範囲、某特殊地質の境界等をマークし、更に、デジタル地図表示モジュール１２によりモバイル装置のスクリーンにこのマークをした後デジタル地図を表示する（図５参照）。図５を参照し、地域マーク５１は、工場の範囲及び工場建築物の実際の大きさをマークしており、現地調査作業の作業者が付近の地域の情報を簡単で迅速且つ正確に獲得することができ、調査前に大量の紙上の作業を準備する必要がなく、現場調査時にただ１つの本発明のシステムを実装したモバイル装置を必要とするだけであり、時間及びコストを大幅に節減し、同時に正確性を向上する。
【００３０】
また、デジタル地図マーキングモジュール１１は、地域包括範囲をマークする以外に、該付近地域データに基づいてデジタル地図にサンプリング分布記録をマークする。ことができる（図６参照）。図６を参考にし、デジタル地図マーキングモジュール１１は、異なるサンプルに対して異なる色でサンプリングマーク６１を該デジタル地図にマークする。例えば、サンプリングマーク６１において、土壌サンプリングが緑色であり、地下水サンプリングが青色であり、廃棄物サンプリングが茶色であり、同時に図面にサンプリングポイント番号をマークする。このように、現地調査作業の作業者は、サンプリングの歴史記録に対して一目瞭然であることができ、全体の調査の流れを加速することができる。注意すべき点として、上記実施例において、工場の調査を例とするが、当業者であれば、理解できるように、本発明の精神を逸脱しない範囲において、地域マーク５１及びサンプリングマーク６１は、その他の型式の現場調査作業、例えば、地質調査、水質調査、環境場所評価、汚染潜在分析等の目的を対象とすることもできる。
【００３１】
図２ＡのステップＳ２５を参考にし、デジタル地図上の地域包括範囲又はサンプリング分布記録を選択することで、検索インタフェースを起動し、更に、関連する詳細情報を検索して表示し、例えば、選択された地域包括範囲の地域詳細情報を表示するか、サンプリング分布記録に関するサンプリング詳細情報を表示する。言い換えれば、図５の地域マーク５１又は図６のサンプリングマーク６１を選択することで、検索インタフェースを起動し、このインタフェースは、地域詳細情報７１を直接取得してデジタル地図上に表示するか（図７参照）検索結果を別途頁面を開いて詳細情報表示領域８１に表示する（図８参照）。本発明の具体的実施例において、上記地域詳細情報又はサンプリング詳細情報の取得は、リモートデータアクセスモジュール１５を介してリモートサーバ３へ要求した後、リモートサーバ３は、このデータをリモートデータアクセスモジュール１５に返す過程で取得される。
【００３２】
図２Ａのステップ２６を参考し、デジタル地図を選択して調査情報入力インタフェース１３を起動し、該調査情報入力モジュール１３の起動後に編集インタフェースをモバイル装置１のスクリーンに表示し、該編集インタフェースが使用者に該デジタル地図中の任意の位置の地域包括範囲又はサンプリング分布記録を編集させる。例えば、図５の地域マーク５１を選択することで、地域マーク５１の境界設定又は地域マーク５１の地域詳細情報を編集することができる。図６のサンプリングマーク６１を制御することで、調査情報入力モジュール１３を起動し、調査情報入力モジュール１３の起動後、編集インタフェース９１を表示し（図９参照）編集インタフェース９１において、サンプリング作業中の各種詳細データ及び過程を設定することができ、例えば、調査員、調査員官制データ、調査機が具える官制データ、土壌サンプルサンプリング記録、地下水サンプルサンプリング記録、廃棄物サンプルサンプリング記録、モニタリング基本データ、その他の事項、確認表等を設定することができる。
【００３３】
編集インタフェース９１中の各分類項目を選択した後、更に詳細データを設定することができる。例えば、編集インタフェース９１中の土壌サンプリング記録を選択した後、土壌サンプル編集インタフェース１０１（図１０参照）へ入り、土壌サンプル編集インタフェース１０１において、サンプリング日時、サンプリング方法、クイック選択メニュー、サンプリング深度、分析項目等のサンプリング細節を設定することができる。
【００３４】
また、土壌サンプル編集インタフェース１１１において（図１１参照）、ＧＰＳ定位モジュール１４から現在のモバイル装置のＧＰＳ位置決めを取得してサンプリング地点を直接的に設定し、このモバイル装置に付帯された撮影部材を直接的に使用し、実景撮影記録を行う。調査情報入力モジュール１３で使用者が編集を実行後、編集した該地域包括範囲又は該サンプリング分布記録をリモートデータアクセスモジュール１５に伝送する。
【００３５】
注意すべき点として、本発明の現地調査モバイル装置において、選択動作の違いに応じることができ、例えば、シングルクリック、ダブルクリック、又はドラッグ等の異なる選択動作に応じてデジタル地図上の地域包括範囲又はサンプリング分布記録の選択を区分した後、検索インタフェース又は調査情報入力モジュール１３を起動する。実施例において、検索又は情報入力のメニューを選択した後、デジタル地図上の地域包括範囲又はサンプリング分布記録に対して選択動作を行い、デジタル地図上の地域包括範囲又はサンプリング分布記録の選択を区分した後、検索インタフェース又は入力モジュール１３を起動する。
【００３６】
図２ＡのステップＳ２７を参考にし、リモートデータアクセスモジュール１５は、編集後の地域包括範囲又はサンプリング分布記録をリモートサーバ３にアップロードする。実施例において、リモートデータアクセスモジュール１５は、リモートサーバ３に対するデータ自動同期作業をバッチ処理し、ネットワーク接続状況に応じてデータ自動同期作業を暫時停止又は再起動し、例えば、ネットワーク接続能力が良好でない時に該データ自動同期作業を暫時停止し、ネットワーク接続能力が回復した後に該データ自動同期作業を再起動する。
【００３７】
また、調査/サンプリング地区の無線ネットワーク又はモバイルネットワークの速度が緩慢又はまだカバーされていない状況を考慮し、調査/サンプリングが困難な現場でインターネットを介して付近の地域データをモバイル装置にダウンロードし、本発明は、更にもう１種の実施方式を有し、この種の状況を克服する。図２Ｂを参考にし、それは、本発明のもう１つの具体的実施例の現地調査方法のフロー図を説明している。図２ＢのステップＳ２０に示すように、調査員の出発前、調査地点の付近の地域データを予めモバイル装置にダウンロードし、ダウンロードの方式は、実体接続線、例えば、ＵＳＢ接続線、ＲＳ２３２接続線、ＳＡＴＡ接続線等の各種の接続ケーブルを介するか、有線/無線ＬＡＮを介してダウンロードを行うか、赤外線通信/ブルートゥース通信/ＮＦＣ/ＲＦＩＤ技術によってダウンロードを行うことができる。このように、現地調査/サンプリングは、現場の無線ネットワーク又はモバイルネットワークが緩慢又はカバーされておらずに制限を受けることを回避する。また、図２ＢのステップＳ２１〜Ｓ２７は、前記実施方式と同じであるので、ここでは再度記載しない。注意すべき点として、ステップＳ２１又はＳ２２の終了後に直接続けてステップＳ２４を行う。
【００３８】
上記プロセスに基づいて分かるように、本発明の即時インタラクション可能な現地調査モバイル装置は、現場調査員に現地調査及びサンプリングを行わせる時、このモバイル装置を利用してこの地域の関連情報を迅速に獲得して事前の大量な文書データの準備を行う必要がなくし、且つ調査の過程において、この地域に関する某特定用途の範囲、詳細データ及び関連するサンプリング記録を迅速に確認又は記録することができる。また、記録後に更に、後工程のサーバに迅速に返し、環境場所の評価及び汚染潜在の分析/管理等の作業を即座に行うことができるので、本発明は、全体的調査の流れを確実に簡易化し、加速することができ、調査作業効率を向上させることができる。
【００３９】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００４０】
１  モバイル装置
１１  デジタル地図マーキングモジュール
１２  デジタル地図表示モジュール
１３  調査情報入力モジュール
１４  ＧＰＳ定位モジュール
１５  リモートデータアクセスモジュール
１０１  土壌サンプリング編集インタフェース
１１１  土壌サンプリング編集インタフェース
２  使用者
３  リモートサーバ
３１  デジタル地図
３２  即時位置
４１  メニュー
４２  入力インタフェース
５１  地域マーク
６１  サンプリングマーク
７１  地域詳細情報
８１  詳細情報表示領域
９１  編集インタフェース
Ｓ２０〜Ｓ２７  ステップ
【図１】
2016001440.tif 000003
【図２Ａ】
2016001440.tif 000004
【図２Ｂ】
2016001440.tif 000005
【図３】
2016001440.tif 000006
【図４】
2016001440.tif 000007
【図５】
2016001440.tif 000008
【図６】
2016001440.tif 000009
【図７】
2016001440.tif 000010
【図８】
2016001440.tif 000011
【図９】
2016001440.tif 000012
【図１０】
2016001440.tif 000013
【図１１】
2016001440.tif 000014